(57)【要約】      （修正有）【課題】安価な調理器具の取っ手固定デバイスを提供する。【解決手段】調理器具２の壁部６に対して前方第１端部１４を介して固定され、後方第２端部１５に開口部を含む止め金具５と、止め金具５を受け入れ、かつ、ねじ４に止め金具５の開口部を通って挿入されることを可能にする貫通孔３９に延ばされたハウジング３３を形成する少なくとも１つの突出部３１、３２を備えた一端部３０を有する取っ手３と、止め金具５と取っ手３の突出部３１、３２とを取り囲むように構成され、かつ、調理器具２の壁部６に対して長手方向に取っ手３を接続するカラー８とを含む。取っ手３の突出部３１、３２は横交軸４２に関して止め金具５のどちらか一方の側部に接し、かつ、カラー８は止め金具５および取っ手３に対して縦交軸４１に関して位置決めするための位置決め手段を含む。【選択図】図１
2008289857.tif 000002
【特許請求の範囲】
【請求項１】
調理器具（２）の壁部（６）に取っ手（３）を固定するための固定デバイス（１）であって、
該デバイスは、
前記調理器具（２）の壁部（６）に対して前方第１端部（１４）を介して固定されるように構成され、後方第２端部（１５）に開口部（１６）を含む止め金具（５）と、
該止め金具（５）を受け入れるのに適し、かつ、ねじ（４）に前記止め金具（５）の前記開口部（１６）を通って挿入されることを可能にする貫通孔（３９）に延ばされたハウジング（３３）を形成する少なくとも１つの突出部（３１、３２）を備えた一端部（３０）を有する取っ手（３）と、そして、
前記止め金具（５）と前記取っ手（３）の前記突出部（３１、３２）とを取り囲むように構成され、かつ、前記調理器具（２）の前記壁部（６）に対して長手方向に前記取っ手（３）を接続するカラー（８）と
を備え、
前記取っ手（３）の前記突出部（３１、３２）は横交軸（４２）に関して前記止め金具（５）のどちらか一方の側部に接し、かつ、前記カラー（８）は前記止め金具（５）および前記取っ手（３）に対して縦交軸（４１）に関して位置決めするための位置決め手段を含むことを特徴とする固定デバイス（１）。
【請求項２】
前記カラー（８）を前記止め金具（５）に対して位置決めするための前記位置決め手段は、前記止め金具（５）の前記後方端部（１５）の底部に位置付けられた縁部（１９）と協力する、前記カラー（８）の底部（２５）の内面に位置付けられたリブ（２６）によって構成されていることを特徴とする請求項１に記載の固定デバイス（１）。
【請求項３】
前記カラー（８）を前記止め金具（５）に対して位置決めするための前記手段は、前記止め金具（５）の底面（１０）の中線と協力する、前記カラー（８）の底部（２５）の内面に位置付けられたリブ（２６）によって構成されていることを特徴とする請求項１または２に記載の固定デバイス（１）。
【請求項４】
前記カラー（８）の上部（２７）を前記止め金具（５）に対して位置決めするための前記手段は、前記止め金具（５）の上面（１３）と協力する、前方端部（２１）の上端面の底縁部（２８）によって構成されていることを特徴とする請求項１から３のいずれかに記載の固定デバイス（１）。
【請求項５】
前記カラー（８）を前記取っ手（３）に対して位置決めするための前記手段は、前記取っ手（３）の底部（３０）に形成された肩部（３８）と協力する、後方端部（２２）の底端面によって構成されていることを特徴とする請求項１から４のいずれかに記載の固定デバイス（１）。
【請求項６】
前記カラー（８）を前記取っ手（３）に対して位置決めするための前記手段は、前記取っ手（３）の端部（３０）の突出部（３１、３２）の少なくとも１つの底面と協力する、後方端部（２２）の底端面の上縁部によって構成されていることを特徴とする請求項１から５のいずれかに記載の固定デバイス（１）。
【請求項７】
２つの前記突出部（３１、３２）の外面（３６、３７）の各々は、前記カラー（８）と接する少なくとも１つの側部接触面（４６、４７）を、横交軸（４２）に関して前記取っ手（３）に対してそれを位置付けるように、備えることを特徴とする請求項１から６のいずれかに記載の固定デバイス（１）。
【請求項８】
２つの前記突出部（３１、３２）の外面（３６、３７）は、前記カラー（８）と接する少なくとも２つの縦接触面（４８、４９）を、縦交軸（４１）に関して前記取っ手（３）に対して前記カラーを位置付けるように、含むことを特徴とする請求項１から７のいずれかに記載の固定デバイス（１）。
【請求項９】
２つの前記突出部（３１、３２）の外面（３６、３７）は、前記取っ手（３）の長手方向軸に対するテーパをそれぞれ含むことを特徴とする請求項１から８のいずれかに記載の固定デバイス（１）。
【請求項１０】
前記取っ手（３）の端部（３０）は、前記カラー（８）の上部（２７）の上にくっつく堅固なリム（４５）を含むことを特徴とする請求項１から９のいずれかに記載の固定デバイス（１）。
【発明の詳細な説明】
【技術分野】
【０００１】
本発明は、ソースパン、フライパンなどのような調理器具に取っ手を固定するためのデバイスに関する。
【背景技術】
【０００２】
特許文献１は、調理器具の壁から延びる四角形断面の鋳物の止め金具を含み、かつ、その端部にねじ付き孔を含む形式の調理器具の側壁または壁部に、取っ手を固定するためのデバイスを開示する。その取っ手の端部は、調理器具の壁部に対して取り付けられるようになっており、それは、止め金具の四角形断面と協力し、そして取っ手の軸に直角を成す２つの方向、すなわち水平方向および垂直方向への位置決めをもたらすハウジングを含む。取っ手は、止め金具のねじ付き孔と協力するねじ用の通路と支持ゾーンとをハウジングに対して一直線状に有する。火炎ガードとして機能を果たすカラーは、取っ手の端部の下方に固定される。
【０００３】
【特許文献１】米国特許第２７８７８０５号明細書
【特許文献２】英国特許第１０７７４７５号明細書
【特許文献３】米国特許第４０３２０３２号明細書
【発明の開示】
【発明が解決しようとする課題】
【０００４】
調理器具の壁部上への取っ手の組み付け品は急速にゆるくなるので、固定デバイスは、長持ちしないという欠点を与える。調理器具の壁部と直接的に接触する取っ手の材料は、長い間、加熱冷却サイクルにさらされ、劣化する。
【０００５】
加えて、その固定デバイスは、取っ手の端部に、分厚い構成からなることを要求する。一般に取っ手に用いられるプラスチック材料は、熱硬化性の種類のものである。その材料は、ユーザによってもたらされる力に耐えるために十分である機械的特性を得るために、十分な壁の厚さを必要とする。
【０００６】
特許文献２は、調理器具の壁部に取っ手を固定するためのデバイスの別の例を開示し、これは調理器具の壁部に一端部を介して固定されるようになっている止め金具を熱反射部材、すなわちカラーと共に備えるタイプであり、カラーは取っ手の端部を囲み、調理器具の壁部に対して第１の端部を介して連結すると共に取っ手の肩部をその第２の端部に対して当接状態で受け入れるようになっている。止め金具の第２の端部は、取っ手の軸線方向の固定をもたらすのに適した手段を有し、また取っ手を相互係合により所定位置に配するのに適した手段をも有する。換言すれば、取っ手の端部における肩部は、形状がほぼ矩形であって「正方形」としても解釈される突起部を区画形成し、これは、その中央部にて止め金具を受け入れるためのハウジングを提供する。
【０００７】
その固定デバイスは、そのデバイスの老朽化という上記した問題を改善する。それでもなお、すっかり物を入れた上でユーザが調理器具を持ち上げるとき、止め金具とカラーの上面との間に位置付けられた取っ手の材料は、大いに圧力を加えられ、そして、取っ手の破壊のリスクを負う。さらに、そのデバイスは、取っ手の端部に、分厚くて高価である構成からなることを要求する欠点を有する。
【０００８】
改良解決策は、特許文献３に開示されている。調理器具の壁部に取っ手を固定するためのデバイスは、調理器具の壁部に第１端部を介して固定されると共にその第２端部にねじ付き孔を有するようになっている止め金具をカラーと共に備え、カラーは取っ手の端部を囲み、調理器具の壁部に対して第１端部を介して連結すると共に取っ手の肩部をその第２端部に対して当接状態で受け入れるようになっている。そのデバイスは、また、動かないように保持するように止め金具の断面に対応する断面の開口部を第１に有し、かつ、それに対して動かないようにカラーの内部断面に対応する外部断面を第２に有するリングを備える。そのデバイスにおいて、取っ手は、止め金具に位置付けられず、むしろカラーに位置付けられる。
【０００９】
その固定デバイスは、付加的な構成要素を必要とするという欠点を有し、それによって、付加的な製造コストをもたらす。さらに、その構成要素のための製作公差は、付加的なばらつき度が調理器具への取っ手の組み付けに加えられることを意味する。
【００１０】
本発明の目的は、上記欠点を改善し、含まれる要素の数を最小限に抑えることによって、かつ、取っ手の端部に使われる材料の量を最小限度に抑えることによって安価である固定デバイスを提示することである。
【００１１】
本発明の別の目的は、信頼でき、かつ、長持ちする留め具を提供する固定デバイスを提示することである。
【００１２】
本発明の別の目的は、カラーと取っ手の端部との近くにおいて縦方向に狭い固定デバイスを提示することである。
【課題を解決するための手段】
【００１３】
これらの目的は、調理器具の壁部に取っ手を固定するための固定デバイスで成し遂げられ、それは、該デバイスは、前記調理器具の壁部に対して前方第１端部を介して固定されるように構成され、後方第２端部に開口部を含む止め金具と、該止め金具を受け入れるのに適し、かつ、ねじに前記止め金具の前記開口部を通って挿入されることを可能にする貫通孔に延ばされたハウジングを形成する少なくとも１つの突出部を備えた一端部を有する取っ手と、そして、前記止め金具と前記取っ手の前記突出部とを取り囲むように構成され、かつ、前記調理器具の前記壁部に対して長手方向に前記取っ手を接続するカラーとを備え、前記取っ手の前記突出部は横交軸に関して前記止め金具のどちらか一方の側部に接するからであり、かつ、前記カラーは前記止め金具および前記取っ手に対して縦交軸に関して位置決めするための位置決め手段を含むからである。
【００１４】
本発明によれば、固定デバイスは、取っ手の突出部の壁部と止め金具の側面との間の狭いクリアランスのために、取っ手に、横の横断する方向において、止め金具に正確にかつ直接的に位置決めされることを可能にする。この構成は、また、取っ手の長手方向軸周りに調理器具が回転することを防ぐことを可能にする。この設備は、また、位置決めが、止め金具にカラーによって直接的に取っ手の縦の横断する方向において成し遂げられることを可能にする。この構成は、取っ手に対して使われる材料の量の点に関して、とても安価である。
【００１５】
好ましくは、前記カラーを前記止め金具に対して位置決めするための前記位置決め手段は、前記止め金具の前記後方端部の底部に位置付けられた縁部と協力する、前記カラーの底部の内面に位置付けられたリブによって構成される。
【００１６】
この配置は、特別な調整なしに、カラーに、止め金具に対して支えられることを可能にし、前記リブは、好ましくはアルミニウムを延伸することによって、カラーを製造するプロセスにおいて、直接的に作られる。
【００１７】
有利には、前記カラーを前記止め金具に対して位置決めするための前記手段は、前記止め金具の底面の中線と協力する、前記カラーの底部の内面に位置付けられたリブによって構成される。
【００１８】
好ましくは、前記カラーの上部を前記止め金具に対して位置決めするための前記手段は、前記止め金具の上面と協力する、前方端部の上端面の底縁部によって構成される。
【００１９】
この設備は、２つの上記設備と合わさって、カラーに、縦の横断する方向において幅が狭い構成を与えることを可能にする。
【００２０】
有利には、前記カラーを前記取っ手に対して位置決めするための前記手段は、前記取っ手の底部に形成された肩部と協力する、後方端部の底端面によって構成される。
【００２１】
好ましくは、前記カラーを前記取っ手に対して位置決めするための前記手段は、前記取っ手の端部の突出部の少なくとも１つの底面と協力する、後方端部の底端面の上縁部によって構成される。
【００２２】
有利には、２つの前記突出部の外面の各々は、前記カラーと接する少なくとも１つの側部接触面を、横交軸に関して前記取っ手に対してそれを位置付けるように、備える。
【００２３】
好ましくは、２つの前記突出部の外面は、前記カラーと接する少なくとも２つの縦接触面を、縦交軸に関して前記取っ手に対して前記カラーを位置付けるように、含む。
【００２４】
これら先の２つの突出部は、取っ手の端部に、薄い厚さのカラーに位置付けられることを可能にし、したがって、取っ手の端部用に細い構成を得ることを可能にする。これは、任意で、付加的な機能、例えば、温度計測モジュール、カラー上への飛散防止覆い、あるいは取っ手を回すためのデバイスを加えることを可能にする。
【００２５】
好ましくは、２つの前記突出部の外面は、前記取っ手の長手方向軸に対するテーパをそれぞれ含む。
【００２６】
用語「テーパ」は、突出部が円錐台形状を示すこと、すなわち突出部の断面が取っ手の前方端部に向かって細くなることを意味するように用いられる。
【００２７】
この設備は、取っ手に、単に、２つの突出部の基部を介して、カラーに位置付けられることを可能にする。ユーザが調理器具を取り扱うとき、２つの突出部を構成する材料は曲げに関して圧力を加えられない。これは、留め具が信頼でき、長持ちすることを保証する。
【００２８】
有利には、前記取っ手の端部は、前記カラーの上部の上にくっつく堅固なリムを含む。
【００２９】
この設備は、カラーを保護するための覆いを設けることを可能にし、それをきれいにすることを容易にすることができる。調理器具が使用されているとき、壁部に接するカラーは加熱されることになる。カラーにかかる汚れは、乾燥し、あるいは、まさに炭化され、それ故にとても強く付着し、したがって洗浄を難しくする。壁部に接しないので、冷たい堅固なリムを備えるので、汚れは容易にきれいになる。
【００３０】
本発明は、非限定の様式で取り込まれ、かつ、添付図面に示される実施形態を研究することで、より良く理解され得る。
【発明を実施するための最良の形態】
【００３１】
本発明の固定デバイス１は、取っ手３を、調理器具２の壁部６に固定するのに役立つ。それは、止め金具５、取っ手３の一端部を取り囲むカラー８、およびねじ４によって構成される。
【００３２】
図１および２において理解され得るように、止め金具５は、概して形状において柱状であり、できる限り、四角形の基部と、長手方向軸４０とを有する。前記止め金具５は、調理器具２の壁部に固定されるように構成された前方第１端部１４と、ねじ４を受け入れるブラインド開口部１６を含む後方第２端部１５とを有する。止め金具５の前方端部１４は、溶接によって調理器具２の壁部６にそれを固定することを容易にするように形作られていて、そして、それは外側に向けられた突起１８を有するわずかに半球形のディスク１７を含む。
【００３３】
カラー８は、概して中空のチューブの形をしていて、それは実質的に楕円形である基部を有し得る。カラー８は、調理器具２の壁部６に取り付けるように構成された前方第１端部２１と、当接状態で取っ手３を受け入れるのに適している後方第２端部２２とを有する。カラー８の前方端部２１と調理器具２の壁部６との間の適切な連結を確実にするべく、前記端部２１によって区画形成される端面とそれが連結するはずの壁部６の区画は実質的に平行である。
【００３４】
取っ手３の端部３０は、取っ手３の軸４０に直交する縦交軸４１の両側に配置され、かつ、ギャップによって間隔をおいて配置されて止め金具５を収容するのに適するハウジング３３を形成する、２つの突き出た突出部３１、３２を有する。前記ハウジング３３は、２つの突出部３１、３２の２つの内壁３４、３５によって構成され、かつ、止め金具５の２つの側面１１、１２と協力するのに適する２つの平面を有し、これは、取っ手３に、横交軸４２上で止め金具５に固定保持されることを可能にし、これにより取っ手３がそれの長手方向軸４０周りに回ることを防止する。
【００３５】
２つの突出部３１、３２によって形成された取っ手３の端部３０は、カラー８に係合するのに適している。それらの外側部分において、突出部３１、３２は、カラー８の内側面２３、２４にぴったり合う面３６、３７を有する。外面３６、３７の各々は、カラー８に接触するための側部接触面４６、４７を、横交軸４２上で取っ手３に対してそれを位置付けるように有する。突出部３１、３２の外面３６、３７は、また、カラー８に接触するための２つの縦接触面４８、４９を、縦交軸４１上で取っ手３に対してそれを位置付けるように、有する。
【００３６】
２つの突出部３１、３２の外面３６、３７は、取っ手３の長手方向軸４０に関連したテーパをそれぞれ含む。換言すれば、突出部３１、３２は円錐台形状を示し、すなわち、各突出部の断面は取っ手３の前方端部に向けて小さくなるということが理解され得る。このテーパは、２つの突出部３１、３２の上部と底部との間で変化し得る。
【００３７】
取っ手３の端部３０は、２つの突出部３１、３２の周囲の肩部３８によって区画形成されていて、カラー８の後方端部２２の端面に対して当接状態になるのに適していて、これにより、突出部３１、３２がカラー８の中へ押し込まれ得る最大限度が定められる。カラー８の後方端部２２の底端面の上縁部は、突出部３１、３２の底面に接触して支える。
【００３８】
その底部２５の内面において、カラー８は、止め金具５の後方端部１５の底部に位置している縁部１９に接触して支えるか、または別の実施形態において、止め金具５の底面１０の中線に対して支える、リブ２６を有する。
【００３９】
その前方端部２１の上端面において、カラー８は、止め金具５の上面１３に接触して支える底縁部２８を有する。
【００４０】
貫通孔３９は、取っ手３の端部３０に作られ、ハウジング３３を延ばす。予め孔３９に係合されたねじ４は、止め金具のブラインド開口部１６と協力するのに適している。孔３９は、ねじの頭が当接状態になり得る肩部を有する。ねじ４は、止め金具のブラインド開口部１６のねじ立ての作業を排除するように、セルフタッピンねじであり得、これによりそのデバイスを作製する費用を減じることができる。
【００４１】
予め既知の四角形から存続している取っ手の端部突出部は、横交軸４２に沿っての止め金具５に対する取っ手３の厳密な最小限度の位置決めを低減する機能を有する。調理器具が使用されているとき、カラー８はその本源的機能で機械的に保持され、それは、ねじ４、取っ手３、そして止め金具５を介した上部連結と、壁部６、カラー８、そして取っ手３を介した底部連結との逆向きのトルク間で圧縮状態に保持される部分をもたらす。特に、この圧縮ゾーンは大きな圧力を加えられ、調理台によって加熱される。カラー８の上部は、止め金具に対してのみ、その前方部分を介して位置決めに関与し、その後方上部の機械的な重要性はより低い。
【００４２】
本発明の固定デバイスによって可能にされる付加的な機能の例として、取っ手３の端部３０は、カラー８の上部２７を覆う堅固なリム４５を有する。堅固なリム４５の端部と壁部６との間の距離は、３ミリメーターよりも短い。この堅固なリムは、カラー８に跳ねかかるのを防ぐための保護用覆いとして機能を果たし、より容易にきれいにする。この機能の別の具体化において、ノッチがカラー８の後方上縁部に形成され、形成された該ノッチに取っ手の堅固なリムが入れられる。この実施形態は、取っ手３の端部の構成に、更に幅狭であることを可能にする。
【００４３】
本発明の固定デバイス１を用いて取っ手３を調理器具２に固定するために、止め金具５の前方端部１４は、最初に、調理器具２の壁部６に溶接などで固定される。
【００４４】
取っ手３の端部３０の２つの突出部３１、３２は、カラー８の後方端部２２に差し込まれる。その後、取っ手３の２つの突出部３１、３２の平面３４、３５はカラー８と一緒になって、止め金具５の周りの位置に設置される。最後に、ねじ４が取っ手３の孔３９に嵌め込まれ、孔３９および止め金具５のブラインド開口部１６は互いに正しく合うので、ねじ４はブラインド開口部１６に入る。
【００４５】
孔３９は、ねじ４の頭が当接状態になるのに適する肩部を有する。ねじを回すことを継続することで、カラー８の前方端部２１の端面は、調理器具の壁部６に対して押されるようになり、カラー８の後方端部２２の端面は取っ手３の肩部３８に対して押されるようになる。ねじが一旦堅く締められると、調理器具２の傾いた壁部にカラー８によって及ぼされる半径方向力が、カラー８の前方端部２１の上端面の底縁部２８を、止め金具５の上面１３に対して押させる。
【００４６】
本発明は、記述された実施形態およびその変形に決して限定されず、特許請求の範囲の範囲内での数々の変更に及ぶ。
【００４７】
したがって、カラー８を止め金具５に対して位置決めするための手段は、止め金具５の後方端部１５の底部に位置付けられた縁部１９と直接的に協力するカラー８の底部２５の内面によって構成されることができる。
【００４８】
同様に、カラー８を止め金具５に対して位置決めするための手段は、止め金具５の上面１３と協力するカラー８の上部２７の内面に位置付けられた少なくとも１つのリブによって構成されることができる。
【００４９】
これら２つの改良型は、止め金具５に対するカラー８の位置が、修正されることを可能にし、状況に応じて、第１の改良型において、カラー８を縦交軸４１において更により狭めさせることを可能にする。
【図面の簡単な説明】
【００５０】
【図１】調理器具の壁部に取っ手を固定するための本発明のデバイスの分解斜視図である。
【図２】取っ手の軸を含む、図１のデバイスの断面図である。
【符号の説明】
【００５１】
１  固定デバイス
２  調理器具
３  取っ手
４  ねじ
５  止め金具
６  壁部
８  カラー
【図１】
2008289857.tif 000003
【図２】
2008289857.tif 000004
【外国語明細書】
2008289857000001.pdf